(57)【特許請求の範囲】
【請求項１】
製造するロープの軸心上に位置し、ロープの軸回りに自転する自転部と、該自転部の周回面に千鳥配置され、ロープを構成するストランドを型付ける複数の駒とを備える型付け器において、
隣り合う二つの前記駒の間の寸法がロープピッチの１／３以下であること
を特徴とする型付け器。
【請求項２】
三つ以上の前記駒を備え、
両端に位置する二つの前記駒の間の寸法がロープピッチよりも短くなるようにしてあること
を特徴とする請求項１に記載の型付け器。
【請求項３】
前記駒は、
前記周回面に立設した軸と、
該軸に回転可能に支持されており、ストランドが係止する回転ローラと
を備え、
前記軸の軸方向にて、隣り合う二つの前記駒の回転ローラの相対位置が異なること
を特徴とする請求項１又は２に記載の型付け器。
【請求項４】
複数のストランドに型付けする請求項１から３のいずれか一つに記載の型付け器と、
該型付け器にて型付けられた複数のストランドを集約して撚る撚り器と
を備えることを特徴とするロープ製造装置。
【請求項５】
請求項１から３のいずれか一つに記載の型付け器によって複数のストランドを型付けし、
型付けされた複数のストランドを撚り器に集約させて撚ること
を特徴とするロープ製造方法。
【発明の詳細な説明】
【技術分野】
【０００１】
本発明は、ロープを構成するストランドに型付けする型付け器、ロープ製造装置及びロープ製造方法に関する。
【背景技術】
【０００２】
ロープは複数のストランドによって構成されており、ストランドは複数の素線によって構成されている。複数のストランドをロープ製造装置によって螺旋状に撚ることで、ロープが製造される（例えば特許文献１参照）。
【０００３】
ロープを製造する場合、ロープを不反発（ロープを切ってもストランドや素線がばらけない性質）にするべく、ストランドに型付けを行って（ストランドを塑性変形させて）から撚る。型付けによって、ロープは、負荷を与えずとも、撚りを入れる方向に軸回りに回転しようとする（以下、負荷を与えずとも、撚りを入れる方向に回転しようとする性質を回転性という）。
【０００４】
一方、ストランドを螺旋状に撚ることによってロープが製造されるため、ロープは自転性（ロープに負荷を与えたとき、ロープが、撚りを解く方向に回転しようとする性質）を有する。そのためロープによって物体を吊り下げた場合、自転性によって、吊り下げた物体はロープの軸回りに回転するが、ロープの品質において、自転性は小さいことが好ましい。
【０００５】
自転性を小さくするためには、ロープピッチ（ロープの軸方向におけるストランドの一撚りの長さ）を長くするか又はストランドピッチ（ストランドの軸方向における素線の一撚りの長さ）を短くすればよいことが知られている。
【先行技術文献】
【特許文献】
【０００６】
【特許文献１】特開平１０−１４０４９２号公報
【発明の概要】
【発明が解決しようとする課題】
【０００７】
しかしロープピッチを長くするか又はストランドピッチを短くした場合、回転性がより大きくなり、またうねりが生じ、ドラムへの整列巻きが困難になるという問題があった。
【０００８】
本発明は斯かる事情に鑑みてなされたものであり、ロープピッチを長くするか又はストランドピッチを短くしても、回転性が大きくなることを抑制することができる型付け器、ロープ製造装置及びロープ製造方法を提供することを目的とする。
【課題を解決するための手段】
【０００９】
本発明に係る型付け器は、製造するロープの軸心上に位置し、ロープの軸回りに自転する自転部と、該自転部の周回面に千鳥配置され、ロープを構成するストランドを型付ける複数の駒とを備える型付け器において、隣り合う二つの前記駒の間の寸法がロープピッチの１／３以下であることを特徴とする。
【００１０】
本発明に係る型付け器は、三つ以上の前記駒を備え、両端に位置する二つの前記駒の間の寸法がロープピッチよりも短くなるようにしてあることを特徴とする。
【００１１】
本発明に係る型付け器は、前記駒は、前記周回面に立設した軸と、該軸に回転可能に支持されており、ストランドが係止する回転ローラとを備え、前記軸の軸方向にて、隣り合う二つの前記駒の回転ローラの相対位置が異なることを特徴とする。
【００１２】
本発明に係るロープ製造装置は、複数のストランドに型付けする前述した型付け器と、該型付け器にて型付けられた複数のストランドを集約して撚る撚り器とを備えることを特徴とする。
【００１３】
本発明に係るロープ製造方法は、前述した型付け器によって複数のストランドを型付けし、型付けされた複数のストランドを撚り器に集約させて撚ることを特徴とする。
【００１４】
本発明においては、隣り合う二つの駒の間の寸法をロープピッチの１／３以下に設定し、型付け器及び撚り器の間において、ストランドに張力を付与する。型付け器によって付けたストランドの型（塑性変形したストランド）は、張力によって伸びる。撚り器を通過するときに、伸びたストランドは再び縮み、前記ストランドの型（塑性変形したストランド）が復元される。複数のストランドの型は縮みながら、撚られ、ストランド同士が押し合う。ロープは撚りが解ける方向（撚りを入れる方向の逆方向）に回転する。
【００１５】
本発明においては、両端に位置する二つの前記駒の間の寸法をロープピッチよりも短くすることによって、ストランドに確実に張力を付与する。
【００１６】
本発明においては、軸の軸方向にて、隣り合う二つの駒の回転ローラの相対位置が異なるので、隣り合う回転ローラの間でストランドは段差状に屈曲し、自転部と撚り器との間で、より一層大きな張力がストランドに作用する。
【発明の効果】
【００１７】
本発明に係る型付け器、ロープ製造装置及びロープ製造方法にあっては、隣り合う二つの駒の間の寸法をロープピッチの１／３以下に設定し、型付け器及び撚り器の間において、ストランドに張力を付与する。張力によって、ストランドにつけた型（塑性変形したストランド）は伸びる。撚り器を通過するときに、伸びたストランドは再び縮み、前記ストランドの型（塑性変形したストランド）が復元される。複数のストランドの型は縮みながら撚られ、ストランド間の隙間が無くなり、ストランド同士が押し合う。ロープは、ストランド同士が押し合う力を解消すべく、撚りが解ける方向（撚りを入れる方向の逆方向）に回転する。そのため回転性を抑制することができる。
【図面の簡単な説明】
【００１８】
【図１】実施の形態に係るロープ製造装置を略示する平面図である。
【図２】駒を略示する部分拡大側面図である。
【図３】駒を略示する部分拡大平面図である。
【図４】ロープピッチを説明する説明図である。
【発明を実施するための形態】
【００１９】
以下本発明を実施の形態に係るロープ製造装置１を示す図面に基づいて説明する。図１はロープ製造装置１を略示する平面図である。
【００２０】
ロープ製造装置１は、ストランド３０を巻回した複数のボビン（図示略）及び心綱３１を巻回したボビン（図示略）から、心綱３１及び複数のストランド３０、３０、・・・、３０を供給する回転ケージ２を備える。回転ケージ２は円筒状をなし、軸回りに回転する。各ストランド３０は、回転ケージ２の外周面の外側において、回転ケージ２の軸方向に平行になるように、周方向に並設されている。ストランド３０は、回転ケージ２の軸方向に移動可能に配してある。また心綱３１は回転ケージ２の軸心上に配置してある。ストランド３０は、回転ケージ２の回転によって、回転ケージ２の軸回りに回転する。
【００２１】
ストランド３０は、回転ケージ２の軸回りに回転しながら、回転ケージ２の軸方向（図１の右側）に移動し、心綱３１は、ストランド３０と同方向に移動する。
【００２２】
回転ケージ２の隣に、ストランド３０及び心綱３１を案内する案内円盤３が設けてある。案内円盤３は回転ケージ２に対して同軸的に配されている。案内円盤３の側面の周縁部から回転ケージ２の反対側に、後述する型付け器１０を支持する支持棒４が突出している。
【００２３】
案内円盤３の直径は、回転ケージ２の直径よりも小さい。案内円盤３には、ストランド３０及び心綱３１が挿入される複数の貫通孔（図示略）が設けてある。一の貫通孔が案内円盤３の中心部に設けてあり、複数の貫通孔が案内円盤３の周縁部に、周方向に並設してある。回転ケージ２から供給された心綱３１は、案内円盤３の軸心上に位置するように、前記一の貫通孔に挿通されている。回転ケージ２から供給された複数のストランド３０それぞれが、心綱３１に向けて集約されるように、案内円盤３の周縁部に並設された前記貫通孔に挿通されている。案内円盤３は、回転ケージ２の回転に同期して、軸回りに回転する。
【００２４】
支持棒４には、取付部５を介して型付け器１０が支持されている。型付け器１０は、回転ケージ２及び案内円盤３に同期して自転する自転部１１を備える。自転部１１は円筒状をなし、その一端部が切頭円錐台状に形成されている。自転部１１における切頭円錐台状に形成された部分の周面（以下、自転部１１における切頭円錐台状に形成された部分の周面を円錐台状周面１１ａという）に、複数のストランド３０、３０、・・・、３０を型付ける複数の駒１２、１２、・・・、１２が設けてある。
【００２５】
自転部１１は、駒１２が案内円盤３の反対側に位置するように、回転ケージ２及び案内円盤３の軸心上に配されている。自転部１１は、回転ケージ２及び案内円盤３の軸心（製造するロープ３２の軸心）回りに自転する。自転部１１の径方向中央部には、案内円盤３を貫通した心綱３１が挿通されている。また複数の駒１２の間に、案内円盤３を貫通したストランド３０が配してある。
【００２６】
心綱３１は、軸方向（図１の右側）に移動し、自転部１１の中央部を通過する。ストランド３０は、軸方向（図１の右側）に移動しながら、駒１２の間を移動し、型付けされる。
【００２７】
型付け器１０の駒１２側において、ストランド３０を撚る撚り口ダイス２０（撚り器）が型付け器１０の隣に固定してある。撚り口ダイス２０はブロック状をなし、撚り口ダイス２０には、自転部１１に対して同軸的に配置された貫通孔（図示略）が形成してある。撚り口ダイス２０の貫通孔に、自転部１１を貫通した心綱３１と、駒１２によって型付けられた複数のストランド３０とが挿入され、心綱３１の周面にストランド３０が螺旋状に巻き付きながら、撚り合わされる。撚り合わさった心綱３１及びストランド３０はロープ３２になり、ドラム（図示略）に巻回される。
【００２８】
図２は駒１２を略示する部分拡大側面図、図３は駒１２を略示する部分拡大平面図である。三つの駒１２、１２、１２を一組として、自転部１１の円錐台状周面１１ａ（周回面）に、複数の組が周方向に並設されている。各組の三つの駒１２、１２、１２は軸方向に沿って千鳥配置されている。
【００２９】
駒１２は、円錐台状周面１１ａに配された基台１２ａと、該基台１２ａから自転部１１の径方向外向きに突出しており、回転ローラ１２ｄを支持する支軸１２ｂと、該支軸１２ｂの突出端部に配してあるエンドブロック１２ｃと、支軸１２ｂに回転可能に支持された回転ローラ１２ｄとを備える。回転ローラ１２ｄの周面には、ストランド３０が係止される係止溝１２ｅが周設してある。
【００３０】
図２に示すように、三つの駒１２、１２、１２において、隣り合う二つの駒１２、１２それぞれの回転ローラ１２ｄ、１２ｄは、支軸１２ｂの軸方向において、相対位置が異なる。具体的には、案内円盤３側（図２の左側）に位置する回転ローラ１２ｄは、撚り口ダイス２０側（図２の右側）に位置する回転ローラよりも、円錐台状周面１１ａからの距離が大きい（図２の上側に位置する）。なお図３に示すように、自転部１１の軸方向において、隣り合う二つの駒１２、１２の間の距離Ｔは、いずれの駒１２、１２の間においても略同じである。
【００３１】
次に距離ＴとロープピッチＫとの関係について説明する。図４はロープピッチを説明する説明図である。なお図４における破線は、裏側に回り込んだ一のストランド３０を示している。前記距離ＴはロープピッチＫの１／３以下になるように設定されている。ロープピッチＫは、一のストランド３０を心綱３１に一周巻き付けた場合における軸方向の距離を示す。例えば図４に示すように、６本のストランド３０を心綱３１に巻き付けた場合、ストランド３０の幅（直径）略６本分の距離がロープピッチＫに相当する。
【００３２】
なお三つの駒１２、１２、１２が並設されているので、両端に位置する駒１２、１２の間の距離は、ロープピッチの２／３以下であり、ロープピッチＫよりも短い。
【００３３】
ストランド３０は駒１２、１２、１２の間に配されており、回転ローラ１２ｄの係止溝１２ｅに係止して、蛇行するように撚り口ダイス２０側に移動し、型付けられる。型付けによって、ストランド３０は塑性変形して、湾曲し、不反発となる。
【００３４】
隣接する駒１２、１２の間の距離ＴをロープピッチＫの１／３以下になるように設定した場合、自転部１１と撚り口ダイス２０との間で、ストランド３０に大きな張力が作用する。
【００３５】
また隣り合う二つの駒１２、１２それぞれの回転ローラ１２ｄ、１２ｄは、支軸１２ｂの軸方向において、相対位置が異なる。換言すれば、駒１２が配設される面（例えば円錐台状周面１１ａ）又は駒１２が配設される面に平行な面を基準面とした場合に、該基準面と回転ローラ１２ｄ、１２ｄそれぞれとの間の距離が異なる。そのため、図２に示すように、隣り合う回転ローラ１２ｄ、１２ｄの間でストランド３０は段差状に屈曲し、自転部１１と撚り口ダイス２０との間で、より一層大きな張力がストランド３０に作用する。
【００３６】
塑性変形によって湾曲したストランド３０は上述した張力によって伸張し、伸張した状態で撚り口ダイス２０の貫通孔に挿通され、心綱３１の周面に巻き付けられる。このとき、ストランド３０は伸張しているが、ストランド３０には、塑性変形した状態（湾曲した状態）に戻ろうとする復元力が作用している。
【００３７】
ストランド３０は撚り口ダイス２０を通過しながら、心綱３１に巻き付けられ、心綱３１と共にロープ３２となる。撚り口ダイス２０を通過するときに、ストランド３０は復元力によって短縮しようとする。しかし心綱３１に巻き付いたストランド３０同士の間には隙間がほとんど無いため、ストランド３０同士が互いに押圧し合う。押圧によって発生した力を解消すべく、ロープ３２は撚りを解く方向に回転する。すなわち、ロープピッチを長くした場合又ストランドピッチを短くした場合に、撚りを入れる方向にロープ３２は回転するが、上述したように撚りを解く方向にもロープ３２は回転するので、ロープ３２の回転性を抑制することができる。
【００３８】
一般に、両端に位置する駒１２、１２の間の距離がロープピッチＫと略同じ寸法になるように、駒１２は円錐台状周面１１ａに並設される。例えば三つの駒１２、１２、１２を円錐台状周面１１ａに千鳥状に並設する場合には、距離ＴはロープピッチＫの１／２となり、ロープピッチＫの１／３よりも長くなる。このとき自転部１１と撚り口ダイス２０との間において、ストランド３０には十分な張力が発生せず、ストランド３０はほとんど伸張しない。すなわち、ストランド３０は型付けられた状態を維持し、ロープピッチを長くするか又はストランドピッチを短くした場合、ロープ３２の回転性が大きくなる。
【００３９】
実施の形態に係る型付け器１０、ロープ製造装置１及びロープ製造方法にあっては、型付けられたストランド３０が伸張して、心綱３１に撚られるので、ロープピッチを長くするか又はストランドピッチを短くしても、ロープ３２の回転性が大きくなることを抑制することができる。
【００４０】
また三つ以上の駒１２、１２、・・・、１２を並設し、両端に位置する二つの駒１２、１２の間の寸法をロープピッチよりも短くすることによって、隣接する駒１２、１２の間の距離ＴをロープピッチＫの１／３よりも確実に小さくして、自転部１１と撚り口ダイス２０との間において、ストランド３０に確実に張力を付与する。
【００４１】
また隣り合う二つの駒１２、１２それぞれの回転ローラ１２ｄ、１２ｄは、支軸１２ｂの軸方向において、相対位置が異なる。そのため、隣り合う回転ローラ１２ｄ、１２ｄの間でストランド３０は段差状に屈曲し、自転部１１と撚り口ダイス２０との間で、より一層大きな張力がストランド３０に作用する。
【００４２】
なお隣接する駒１２、１２の間の距離Ｔを短くすれば、撚りを解く方向にロープ３２はより大きく回転する。例えば、距離ＴをロープピッチＫの１５％程度に設定した場合には、ロープピッチＫの３０％程度に設定した場合よりも、撚りを解く方向にロープ３２はより大きく回転する。
【００４３】
なお一組の駒１２の数は三つに限定されない。隣接する駒１２、１２の間の距離ＴがロープピッチＫの１／３以下となるのであれば、一組の駒１２の数は四つ以上であってもよい。この場合においても、両端に位置する駒１２、１２の間の距離をロープピッチよりも短く設定することによって、より確実に距離ＴをロープピッチＫの１／３以下にすることができる。
【００４４】
また支軸１２ｂの軸方向における隣り合う二つの回転ローラ１２ｄ、１２ｄの相対位置関係は上述した構成に限定されない。例えば、撚り口ダイス２０側（図２の右側）に位置する回転ローラが、案内円盤３側（図２の左側）に位置する回転ローラ１２ｄよりも、円錐台状周面１１ａからの距離が大きい（図２の上側に位置する）構成でもよい。また図２の左右方向中央に位置する回転ローラ１２ｄのみを円錐台状周面１１ａに近接させるか又は離隔させて、左側又は右側に位置する回転ローラ１２ｄを、中央に位置する回転ローラ１２ｄよりも相対的に上側又は下側に位置させてもよい。
【００４５】
また支軸１２ｂの軸方向において、いずれか一対又は複数対の隣り合う二つの回転ローラ１２ｄ、１２ｄのみの相対位置が異なっていてもよい。例えば図２において、左側又は右側いずれか一方の回転ローラ１２ｄと中央に位置する回転ローラ１２ｄとの相対位置が異なり、左側又は右側の他方の回転ローラ１２ｄと中央に位置する回転ローラ１２ｄとの相対位置が同じであってもよい。また駒１２が四つ以上ある場合には、隣り合う回転ローラ１２ｄ、１２ｄの任意の対において、相対位置を異ならせればよい。また円錐台状周面１１ａの所定箇所に凹部又は凸部を形成し、該凹部又は凸部に駒１２を設けて、隣り合う回転ローラ１２ｄ、１２ｄの相対位置を異ならせてもよい。
【００４６】
なお支軸１２ｂの軸方向において、全ての回転ローラ１２ｄの相対位置を略同じにしてもよい。この場合であっても、隣接する駒１２、１２の間の距離ＴをロープピッチＫの１／３よりも小さくしてあれば、自転部１１と撚り口ダイス２０との間において、ストランド３０に十分な張力が付与される。
【００４７】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００４８】
１  ロープ製造装置
１０  型付け器
１１  自転部
１１ａ  円錐台状周面
１２  駒
１２ａ  基台
１２ｂ  支軸
１２ｃ  エンドブロック
１２ｄ  回転ローラ
１２ｅ  係止溝
２０  撚り口ダイス（撚り器）
３０  ストランド
３１  心綱
３２  ロープ
【要約】
【課題】ロープピッチを長くするか又はストランドピッチを短くしても、回転性が大きくなることを抑制することができる型付け器、ロープ製造装置及びロープ製造方法を提供する。
【解決手段】製造するロープの軸心上に位置し、ロープの軸回りに自転する自転部１１と、該自転部１１の周回面１１ａに千鳥配置され、ロープを構成するストランド３０を型付ける複数の駒１２とを備える型付け器において、隣り合う二つの前記駒１２の間の寸法Ｔがロープピッチの１／３以下であることを特徴とする型付け器。
【選択図】図３【図１】
0005531320.tif 000002
【図２】
0005531320.tif 000003
【図３】
0005531320.tif 000004
【図４】
0005531320.tif 000005